(57)【特許請求の範囲】
【請求項１】
光学情報を記録する記録層と、光照射または加熱により屈折率が変化し、この変化が可逆的に生じる機能層とを備え、上記機能層を介して発生する近接場光が上記記録層へ到達可能となっている光記録媒体を使用し、該光記録媒体に光束を入射することにより上記機能層に局所的な屈折率変化領域を生じさせ、該屈折率変化領域で発生した近接場光と上記記録層との相互作用によって散乱した散乱光を検出して上記記録層の光学情報を読み出す光記録媒体の再生方法において、
上記散乱光を検出するにあたり、上記屈折率変化領域以外の領域を透過する散乱光を検出することを特徴とする光記録媒体の再生方法。
【請求項２】
上記光記録媒体に照射する光束の光量、または上記光記録媒体と照射する光束との相対線速度を、上記屈折率変化領域以外の領域を透過する散乱光の強度が上記屈折率変化領域を透過する散乱光の強度よりも大きくなるように制御することを特徴とする請求項１に記載の光記録媒体の再生方法。
【請求項３】
上記光記録媒体に照射する光束の光量、または上記光記録媒体と照射する光束との相対線速度を、散乱光より得られる読み出し信号の信号量が極大値となるように制御することを特徴とする請求項２に記載の光記録媒体の再生方法。
【請求項４】
光学情報を記録する記録層と、光照射または加熱されて屈折率が変化し、この変化が可逆的に生じる機能層とを備え、上記機能層を介して発生する近接場光が上記記録層へ到達可能となっている光記録媒体を使用し、
上記光記録媒体に光束を照射して上記機能層に局所的な屈折率変化領域を生じさせる一方、上記屈折率変化領域で発生した近接場光と上記記録層との相互作用によって散乱した散乱光であって、上記屈折率変化領域以外の領域を透過した散乱光を含む、上記光記録媒体からの反射光を受光し、上記散乱光より再生信号を生成する光束照射手段と、
上記光記録媒体の回転を制御する回転制御手段と、
上記光束照射手段にて生成された上記再生信号を基に上記記録層の光学情報を再生する再生手段と、
上記再生信号の極大値を検出する極大値検出手段と、
該極大値検出手段による検出結果を基に、上記再生信号が極大値となるように、上記の光束照射手段または回転制御手段の少なくとも何れか一方を制御する制御手段とを備えたことを特徴とする光記録媒体の再生装置。
【発明の詳細な説明】
【０００１】
【発明の属する技術分野】
本発明は、近接場光を使用することにより、光の回折限界を越えた光記録媒体の再生方法および再生装置に関するものである。
【０００２】
【従来の技術】
従来、光記録の高密度化のために種々の方式が開発されている。たとえば、雑誌「エレクトロニクス」（オーム社発行）の１９９８年１０月号の１００〜１０２頁、あるいは論文誌 Applied Physics Letters, Vol.73, No.15, 12 October 1998, pp2078-2080 には、近接場光を用いた記録再生方式が開示されている。近接場光とは、媒質中の光が作る電磁場が媒質表面にごくわずかしみ出してきたもので、媒質表面のごく近傍にまとわりつくように局在しているものである。
【０００３】
図５を用いて、この近接場光を用いた従来の再生方式について説明する。
この方式に用いられる光ディスク１０２は、同図に示すように、基板１１１上に、保護層１１２、マスク層１１３、保護層１１４、記録層１１５、保護層１１６が順に成膜された構造である。ここで、記録膜１１５には、相変化材料であるＧｅ2 Ｓｂ2 Ｔｅ5 が使用されており、情報は記録マークｍで記録される。また、マスク層１１３には、照射されたレーザスポット１０１ａの中心の高温部分のみが不透明から透明に可逆的に変化するといった性質をもつ物質、アンチモン膜が使用されている。
【０００４】
このような光ディスク１０２に、レーザビーム１０１を対物レンズ１０５を介して照射すると、上記マスク層１１３を成すアンチモン膜のレーザスポット１０１ａ中心の高温部分で屈折率が変化し、不透明から透明に変化し、マスク層１１３にスポット径よりも小さなアパーチャ１０３が形成される。アパーチャ１０３は、数ｎｍ〜数百ｎｍの微細な開口である。
【０００５】
このアパーチャ１０３（アパーチャ周囲も含む）では近接場光１０４が発生し、発生した近接場光１０４がアパーチャ１０３から記録層１１５に到達し、記録層１１５との相互作用で散乱されて記録層１１５に記録された記録マークｍの情報を含む散乱光となる。そして、この散乱光をアパーチャ１０３を通して受光して、記録層１１５の記録マークｍの情報を再生する。これにより、レーザ波長より小さい１００ｎｍ以下の記録マークｍの再生が可能となる。
【０００６】
また、このような再生を可能とするために、上記光ディスク１０２における記録層１１５とマスク層１１３との間の保護層１１４の厚みは、アパーチャ１０３によって発生した近接場光１０４が記録層１１５に到達する距離に設定されている。
【０００７】
【発明が解決しようとする課題】
しかしながら、上述の再生方式では、マスク層１１３におけるアパーチャ１０３以外の領域では光を遮り、微細な開口であるアパーチャ１０３を通して散乱光を受光するようになっているため、記録マークｍの情報を含んだ散乱光の光量が小さい。したがって、再生信号のＳＮ比が低下し、情報の再生が難しくなるという問題点がある。
【０００８】
なお、アパーチャ１０３を大きくすることで、アパーチャ１０３を透過する散乱光の光量を大きくできるが、アパーチャ１０３を大きくすると分解能が低下するため、記録密度を上げるといった目的と逆行し、そのため、アパーチャ１０３を大きくすることで再生信号のＳＮ比を高めることは好ましくない。
【０００９】
本発明は、上記問題点に鑑みなされたもので、情報の再生に用いられる、記録マークの情報を含んだ散乱光の光量を増大させてＳＮ比の高い再生を行うことができる光記録媒体の再生方法および再生装置を提供することを目的としている。
【００１０】
【課題を解決するための手段】
本発明の光記録媒体の再生方法は、上記の課題を解決するために、光学情報を記録する記録層と、光照射または加熱により屈折率が変化し、この変化が可逆的に生じる機能層とを備えた光記録媒体を使用し、光記録媒体に光束を入射することにより機能層に局所的な屈折率変化領域を生じさせ、屈折率変化領域で発生した近接場光と記録層との相互作用によって散乱した散乱光であり、屈折率変化領域以外の領域を透過する散乱光から記録層の光学情報を読み出すことを特徴としている。
【００１１】
機能層の屈折率変化領域で発生した近接場光と記録層との相互作用で散乱した散乱光であり、記録層に記録されている光学情報を含む散乱光は、機能層における屈折率変化領域を透過するものと、屈折率変化領域以外の広い面積を透過するものとに分かれる。
【００１２】
このうち、屈折率変化領域を透過する散乱光は、透過率が高いため強度こそ大きいが、屈折率変化領域の面積が小さいため、屈折率変化領域の面積を大きくできない場合、散乱光の光量はトータル的に見ると、屈折率変化領域以外を透過する散乱光に比べて小さくなる。これに対し、屈折率変化領域以外を透過する散乱光は、透過率が低いため強度こそ小さいが、屈折率変化領域の面積が小さいほどその面積が広くなるため、その光量はトータル的に見ると大きくなる。
【００１３】
そこで、本発明では、上述したように、従来では遮られていた、屈折率変化領域以外の領域を透過する散乱光から記録層の光学情報を読み出すようにした。これにより、屈折率変化領域を大きくすることなく、記録層の光学情報を含んだ散乱光の光量を上げることができるので、再生信号のＳＮ比を高くでき、記録情報の再生が容易になる。
【００１４】
また、上記した本発明の光記録媒体の再生方法では、光記録媒体に照射する光束の光量、あるいは上記光記録媒体と照射する光束との相対線速度を制御して、屈折率変化領域以外の領域を透過する散乱光の強度を屈折率変化領域を透過する散乱光の強度より大きくすることが望ましい。
【００１５】
機能層に形成される屈折率変化領域の大きさは、機能層における温度分布で決まる。したがって、光記録媒体に照射される光束の光量、あるいは光記録媒体と照射する光束との相対線速度を制御して、上述のように、屈折率変化領域以外の領域を透過する散乱光の強度を、屈折率変化領域を透過する散乱光の強度より大きくすることで、屈折率変化領域の大きさが適切に制御されることとなり、再生に寄与する屈折率変化領域以外の領域を透過する散乱光を増大させて、より効率よく、再生信号のＳＮ比を高くして、記録情報の再生を容易にできる。
【００１６】
本発明の光記録媒体の再生方法では、上記の課題を解決するために、光学情報を記録する記録層と、光照射または加熱されて屈折率が変化し、この変化が可逆的に生じる機能層とを備えた光記録媒体を使用し、光記録媒体に光束を入射することにより機能層に局所的な屈折率変化領域を生じさせ、屈折率変化領域で発生した近接場光と記録層との相互作用によって散乱した散乱光から記録層の光学情報を読み出し、かつ、光学情報を読み出す際、散乱光から得られる再生信号の信号量が極大値となるように、光記録媒体に照射する光束の光量、あるいは光記録媒体と光束との相対線速度を制御することを特徴としている。
【００１７】
光束の光量（強度）と再生信号の信号量との関係から、上述のように、散乱光から得られる再生信号の信号量が極大値となるように、光束の光量、あるいは光記録媒体と光束との相対線速度を制御することで、機能層における屈折率変化領域の大きさを、屈折率変化領域以外の領域を透過する散乱光の強度が、屈折率変化領域を透過する散乱光の強度より大きくなるように適切に制御することが可能となる。したがって、これにおいても、再生信号のＳＮ比を高くして、記録情報の再生を容易にできる。
【００１８】
本発明の光記録媒体の再生装置は、上記の課題を解決するために、光学情報を記録する記録層と、光照射または加熱されて屈折率が変化し、この変化が可逆的に生じる機能層とを備えた光記録媒体を使用し、光記録媒体に光束を照射する一方、その反射光を受光する光束照射手段と、光記録媒体の回転を制御する回転制御手段と、光束照射手段にて読み取られた反射光より得られる再生信号を基に記録層の光学情報を再生する再生手段と、再生信号の極大値を検出する極大値検出手段と、極大値検出手段による検出結果を基に、再生信号が極大値となるように光束照射手段あるいは回転制御手段の少なくとも何れか一方を制御する制御手段とを備えたことを特徴としている。
【００１９】
これによれば、極大値検出手段が再生信号の極大値を検出し、制御手段が、この検出結果を基に、散乱光から得られる再生信号の信号量が極大値となるように、光束照射手段あるいは回転制御手段の少なくとも何れか一方を制御する。これにより、機能層における屈折率変化領域の大きさが、屈折率変化領域以外の領域を透過する散乱光の強度が屈折率変化領域を透過する散乱光の強度より大きくなるように適切に制御され、再生信号のＳＮ比を高くして、記録情報の再生を容易にできる。
【００２０】
【発明の実施の形態】
本発明の実施の一形態を図１ないし図４に基づいて以下に説明する。
ここで使用される光記録媒体としての光ディスクは、相変化型であり、図１に示す構造となっている。同図において、光ディスク２は、基板１１上に、保護層１２、マスク層（機能層）１３、保護層１４、記録層１５および保護層１６がこの順に積層されたものである。
【００２１】
基板１１は、ガラスやポリカーボネートから形成され、保護層１２・１４・１６は、ＳｉＮやＺｎＳ−ＳｉＯ2 などの誘電体から形成されている。また、記録膜１５は、Ｇｅ2 Ｓｂ2 Ｔｅ5 などの相変化材料から形成されている。この記録層１５は予め結晶化されており、アモルファス化することで記録マークＭが形成される。したがって、記録層１５は、アモルファス状態の記録マークＭと、それ以外の結晶領域Ｎとからなる。
【００２２】
マスク層１３は、アンチモン膜から形成されている。マスク層１３には、光ディスク２に対してレーザビーム（光束）１が照射された際に、レーザスポット１ａの中心部分に相当する部分が不透明から透明に変化する性質を有するものが適しており、実験の結果、上記のアンチモン膜が最適であることが判明している。
【００２３】
アンチモン膜を使用することで、レーザスポット１ａが照射されると、マスク層１３には、スポット径よりも小さい径のアパーチャ（屈折率変化領域）４が形成される。アパーチャ４の大きさは、レーザパワーを適切に調整することで、レーザ波長よりも十分に短くなり、アパーチャ４（アパーチャ周囲も含む）には近接場光（図示せず）が発生する。
【００２４】
また、光ディスク２における各層の厚みであるが、基板１１は、数ｍｍ〜十数ｍｍ、マスク層１３、保護層１４、記録層１５の厚みは数十ｎｍである。マスク層１３と記録層１５との間に位置する保護層１４の厚みは、マスク層１３に形成されたアパーチャ４において発生した近接場光が記録層１１５に到達する距離（到達距離）よりも短く設定されており、数十ｎｍ以下である。
【００２５】
次に、上記光ディスク２に対して情報の記録再生動作を行う、本発明の光記録媒体の再生方法を用いた本発明の再生装置としての記録再生装置について説明する。
【００２６】
記録再生装置は、図２に示す構成を備えている。即ち、この記録再生装置は、光学ピックアップ（光束照射手段）２１、レーザ駆動回路（光束照射手段・制御手段）２２、記録回路２３、再生回路（再生手段）２４、微分回路（極大値検出手段）２５、および回転制御回路（回転制御手段・制御手段）２６を備えている。
【００２７】
この記録再生装置において、情報の記録時、記録回路２３から出力された記録信号は、レーザ駆動回路２２を経て、光学ピックアップ２１が備える半導体レーザに送られ、記録用の強い強度のレーザビーム１として出力される。光学ピックアップ２１は図１に示した対物レンズ５を備えており、対物レンズ５によりレーザビーム１を回転している光ディスク２上にレーザスポット１ａとして集光させる。これにより、光ディスク２の記録層１５に情報が記録マークＭとして記録される。
【００２８】
なお、この記録再生装置において、光学ピックアップ２１の備える半導体レーザの出射光の光量調整はレーザ駆動回路２２にて行われ、光ディスク２の回転調整は回転制御回路２６にて行われる。
【００２９】
一方、再生時においては、光学ピックアップ２１が、半導体レーザより弱い強度の再生用のレーザビーム１を出射し、図１に示すように、対物レンズ５によりレーザビーム１を回転している光ディスク２上にレーザスポット１ａとして集光させる。レーザスポット１ａが集光されることで、マスク層１３にはアパーチャ４が形成され、このアパーチャ４で発生した近接場光が、記録層１５における記録マークＭとの相互作用で散乱して、記録マークＭの情報を含んだ散乱光となる。散乱光は、アパーチャ４を透過するｅと、アパーチャ４以外の透過領域を透過するｆとからなる。これら散乱光ｅ・ｆを含む反射光を光学ピックアップ２１が備えるフォトディテクタにより電気信号に変換して再生信号ａを生成する。再生信号ａは、再生回路２４と微分回路２５とにそれぞれ送られ、再生回路２４では、再生信号ａより記録された情報を再生する。
【００３０】
一方、微分回路２５においては、このとき得られた再生信号ａの信号量の極大値を検出して検出信号ｂを生成し、この検出信号ｂを上記のレーザ駆動回路２２と回転制御回路２６とにフィードバックする。レーザ駆動回路２２および回転制御回路２６では、この検出信号ｂを基に、再生信号ａの信号量が極大値となるように、半導体レーザの光量（強度）および光ディスク２の回転数を制御する。なお、検出信号ｂを基に、再生信号ａの信号量が極大値となるように、半導体レーザの光量（強度）、或いは光ディスク２の回転数の何れか一方を制御する構成でもよい。
【００３１】
このように、微分回路２５からフィードバックされる検出信号ｂを基に、レーザ駆動回路２２および回転制御回路２６が、再生信号ａの信号量が極大値となるように、半導体レーザの光量及び／又は光ディスク２の回転数を制御することで、再生信号ａのＳＮ比が高くなり、ＳＮ比の高い再生が可能となる。
【００３２】
以下、上記の記録再生装置において用いられている再生方法と共に、再生信号ａのＳＮ比を高くできる理由を、図３および図４により説明する。
図３は、光ディスク２に対して、再生用のレーザビーム１を対物レンズ５を介して光ディスク２に照射したときの状態と、レーザスポット１ａのマスク層１３における照射領域の温度分布を示す図である。温度分布８ａが、レーザビーム１のパワーが低い場合のマスク層１３におけるレーザスポット１ａの照射領域の温度分布であり、温度分布８ｂが、パワーが高い場合の温度分布である。このように、照射領域の温度は、レーザビーム１のパワーに依存する。そして、図中、７にて示すラインが、閾値温度であり、この閾値温度７を越えた高温部分の屈折率が変化して透過率が上がりアパーチャとなる。したがって、アパーチャの大きさは、レーザビーム１のパワーが低い場合は小さいアパーチャ４ａとなり、高い場合は大きいアパーチャ４ｂとなる。
【００３３】
再生時、マスク層１３のアパーチャ４ａ（あるいは４ｂ）で発生した近接場光と記録層１５の記録マークＭとの相互作用によって散乱が起こり散乱光が生じる。この生じた散乱光を、前述の図２に示した光学ピックアップ２１が備えるフォトディテクタが電気信号に変換して、再生信号ａを生成して記録マークＭを再生するが、この散乱光は、アパーチャ４ａ（あるいは４ｂ）を通って再生される散乱光ｅと、それ以外の領域を通って再生される散乱光ｆとから成る。
【００３４】
通常、アパーチャ４ａ（あるいは４ｂ）は透過率が高いため、散乱光ｅの方が再生されやすい。しかしながら、アパーチャ４ａ（あるいは４ｂ）の面積は、レーザスポット１ａにおけるアパーチャ４ａ（あるいは４ｂ）以外の面積に比べて小さい。したがって、アパーチャ４ａ（あるいは４ｂ）から再生される散乱光ｅのトータルの強度としては、アパーチャ４ａ（あるいは４ｂ）の面積とアパーチャ４ａ（あるいは４ｂ）の透過率との積を考慮する必要がある。また、同様に、アパーチャ４ａ（あるいは４ｂ）以外の領域から再生される散乱光ｆのトータル強度も、アパーチャ４ａ（あるいは４ｂ）を除くスポット面積とこの部分の透過率との積に比例する。
【００３５】
つまり、このことから、再生時、レーザビーム１のパワーを下げて、アパーチャ４ａのようにアパーチャの面積を小さく制御することで、アパーチャを透過して再生される散乱光ｅの強度よりもアパーチャ以外の領域を透過して再生される散乱光ｆの強度の方を大きくし（換言すれば、散乱光ｆの比率を散乱光ｅＮＯ比率より上げる）、この強度の高い散乱光ｆを基にして記録マークＭを再生することで、記録マークＭの情報を含む散乱光として十分な光量を確保でき、ＳＮ比の高い再生が可能となる。
【００３６】
図４は、ＣＮＲ（Ｃａｒｒｉｅｒ  Ｎｏｉｓｅ  Ｒａｔｉｏ：記録マークＭを再生したときの再生信号の信号量に比例）の測定結果を用いて、散乱光の強度の変化を説明する図である。（但し、実際は、ドライブ装置でＣＮＲを測定することが困難であるので、ＣＮＲに比例するドライブ装置で実際に測定できる信号量（再生信号の振幅や実効値）を使用している。）
レーザビーム１の強度が強度Ｐｔよりも高いと（領域ｄ）、アパーチャが大きくなり、アパーチャ内からの散乱光ｅの強度の方がそれ以外の散乱光ｆの強度よりも大きくなる。一方、レーザビーム１の強度が強度Ｐよりも低いと（領域ｃ）、アパーチャが小さくなり、逆にそれ以外の散乱光ｆの強度の方がアパーチャ内からの散乱光ｅの強度よりも大きくなる。
【００３７】
一方、記録マークＭを記録すると、記録マークＭの大きさとアパーチャの大きさとの相対関係によって、レーザビーム１の強度が高いほどアパーチャ内に占める記録マークＭがの面積が小さくなるため、分解能が低下する。
【００３８】
上記ＣＮＲは散乱光の強度と分解能との積に比例するため、ＣＮＲは、レーザビームの強度が、図４における領域ｃで極大となり、領域ｄに移るにつれて次第に減少する。したがって、ＣＮＲが最大（極大値）、つまり、再生信号の振幅や実効値（ＣＮＲに比例）が極大となるように、レーザビーム１のパワーを調節することで、アパーチャの大きさを、散乱光ｆの強度の方が散乱光ｅの強度よりも大きくなるように制御することができる。但し、アパーチャの大きさは前述したように温度分布によって決まるため、レーザビーム１のパワーに限らず、光ディスク２の回転数を調整して、レーザビーム１と光ディスク２との相対線速度を調整することによって制御することもできる。
【００３９】
【発明の効果】
本発明の光記録媒体の再生方法は、以上のように、光学情報を記録する記録層と、光照射または加熱により屈折率が変化し、この変化が可逆的に生じる機能層とを備えた光記録媒体を使用し、光記録媒体に光束を入射することにより機能層に局所的な屈折率変化領域を生じさせ、屈折率変化領域で発生した近接場光と記録層との相互作用によって散乱した散乱光であり、屈折率変化領域以外の領域を透過する散乱光から記録層の光学情報を読み出すものである。
【００４０】
これにより、屈折率変化領域を大きくすることなく、記録層の光学情報を含んだ散乱光の光量を上げることができるので、再生信号のＳＮ比を高くでき、記録情報の再生が容易になるという効果を奏する。
【００４１】
また、本発明の光記録媒体の再生方法は、以上のように、上記の本発明の光記録媒体の再生方法においてさらに、光記録媒体に照射する光束の光量、あるいは上記光記録媒体と照射する光束との相対線速度を制御して、屈折率変化領域以外の領域を透過する散乱光の強度を屈折率変化領域を透過する散乱光の強度より大きくするものである。
【００４２】
これにより、屈折率変化領域の大きさが適切に制御されて、再生に寄与する屈折率変化領域以外の領域を透過する散乱光が増大するので、より効率よく、再生信号のＳＮ比を高くして、記録情報の再生を容易にできるという効果を奏する。
【００４３】
また、本発明の光記録媒体の再生方法は、以上のように、光学情報を記録する記録層と、光照射または加熱されて屈折率が変化し、この変化が可逆的に生じる機能層とを備えた光記録媒体を使用し、光記録媒体に光束を入射することにより機能層に局所的な屈折率変化領域を生じさせ、屈折率変化領域で発生した近接場光と記録層との相互作用によって散乱した散乱光から記録層の光学情報を読み出し、かつ、光学情報を読み出す際、散乱光から得られる再生信号の信号量が極大値となるように、光記録媒体に照射する光束の光量、あるいは光記録媒体と光束との相対線速度を制御するものである。
【００４４】
これにより、機能層における屈折率変化領域の大きさを、屈折率変化領域以外の領域を透過する散乱光の強度が、屈折率変化領域を透過する散乱光の強度より大きくなるように適切に制御することが可能となるので、これにおいても、再生信号のＳＮ比を高くして、記録情報の再生を容易にできるという効果を奏する。
【００４５】
本発明の光記録媒体の再生装置は、以上のように、光学情報を記録する記録層と、光照射または加熱されて屈折率が変化し、この変化が可逆的に生じる機能層とを備えた光記録媒体を使用し、光記録媒体に光束を照射する一方、その反射光を受光する光束照射手段と、光記録媒体の回転を制御する回転制御手段と、光束照射手段にて読み取られた反射光より得られる再生信号を基に記録層の光学情報を再生する再生手段と、再生信号の極大値を検出する極大値検出手段と、極大値検出手段による検出結果を基に、再生信号が極大値となるように光束照射手段あるいは回転制御手段の少なくとも何れか一方を制御する制御手段とを備えた構成である。
【００４６】
これにより、光束照射手段あるいは回転制御手段の少なくとも何れか一方が散乱光から得られる再生信号の信号量が極大値となるように制御される結果、機能層における屈折率変化領域の大きさが、屈折率変化領域以外の領域を透過する散乱光の強度が屈折率変化領域を透過する散乱光の強度より大きくなるように適切に制御されることとなり、再生信号のＳＮ比を高くして、記録情報の再生を容易にできるという効果を奏する。
【図面の簡単な説明】
【図１】本発明の実施の一形態を示すもので、記録再生が行われる光ディスクの構成、および再生方法を示す説明図である。
【図２】図１における光ディスクが再生される記録再生装置の構成を示す説明図である。
【図３】図２における記録再生装置に用いられている再生方法を説明するための説明図である。
【図４】アパーチャの大きさを決定するレーザ光強度と信号品質との関係を示す説明図である。
【図５】従来の光ディスクの構成、および再生方法を示す説明図である。
【符号の説明】
１  レーザビーム（光束）
２  光ディスク（光記録媒体）
４  アパーチャ（屈折率変化領域）
５  対物レンズ
１１  基板
１２  保護層
１３  マスク層（機能層）
１４  保護層
１５  記録層
１６  保護層
２１  光学ピックアップ（光束照射手段）
２２  レーザ駆動回路（光束照射手段・制御手段）
２４  再生回路（再生手段）
２５  微分回路（極大値検出手段）
２６  回転制御回路（回転制御手段・制御手段）
【図１】
0004290304.tif 000002
【図２】
0004290304.tif 000003
【図３】
0004290304.tif 000004
【図４】
0004290304.tif 000005
【図５】
0004290304.tif 000006